(57)【要約】【課題】被覆線の切断部における芯線への防水性が高く、優れた耐久性を有し且つ安価なケーブル吊り下げ用螺旋状支持具を提供する。【解決手段】合成樹脂材料で被覆された芯線よりなる被覆線１を、接続端子７とソケット５とよりなるコネクターのソケット５に挿着してなるケーブル吊り下げ用螺旋状支持具において、前記ソケット５の中空部が硬化性樹脂、及び／又は防水パテ剤で充填されていることを特徴とするケーブル吊り下げ用螺旋状支持具であり、前記硬化性樹脂が、常温硬化性樹脂、熱硬化性樹脂、又は湿気硬化性樹脂であり、前記防水パテ剤がブチル系樹脂であることが好ましく、更に前記芯線が硬鋼線材から伸線加工した鉄線であるケーブル吊り下げ用螺旋状支持具であり、前記鉄線がメッキ処理を施していない鉄線が好ましい。【選択図】図２
2008099437.tif 000002
【特許請求の範囲】
【請求項１】
合成樹脂材料で被覆された芯線よりなる被覆線を、接続端子とソケットとよりなるコネクターのソケットに挿着してなるケーブル吊り下げ用螺旋状支持具において、前記ソケットの中空部が硬化性樹脂、及び／又は防水パテ剤で充填されていることを特徴とするケーブル吊り下げ用螺旋状支持具。
【請求項２】
前記硬化性樹脂が、常温硬化性樹脂、熱硬化性樹脂、又は湿気硬化性樹脂である請求項１に記載のケーブル吊り下げ用螺旋状支持具。
【請求項３】
前記防水パテ剤が、ブチル系樹脂である請求項１に記載のケーブル吊り下げ用螺旋状支持具。
【請求項４】
前記芯線が、硬鋼線材から伸線加工した鉄線である請求項１乃至請求項３のいずれかに記載のケーブル吊り下げ用螺旋状支持具。
【請求項５】
前記芯線が、メッキ処理を施していない前記鉄線である請求項４に記載のケーブル吊り下げ用螺旋状支持具。
【発明の詳細な説明】
【技術分野】
【０００１】
本発明は、ケ−ブルをメッセンジャ−ワイヤ−に吊り下げるためのケーブル吊り下げ用螺旋状支持具に関するものである。
【背景技術】
【０００２】
電柱間に張設したメッセンジャ−ワイヤ−にケ−ブルを吊り下げるための螺旋状支持具として、芯線の回りを合成樹脂材料で被覆し、メッセンジャ−ワイヤ−の外径とケ−ブルの外径の和より大きい内径からなり、長手方向に螺旋形状に曲成した規定長を有し、その他端には連結のためのジョイントスリーブが予め挿着されているケ−ブル吊り下げ用の螺旋状支持具が提案されている（特許文献１、特許文献２を参照。）。
【０００３】
従来のメッセンジャ−ワイヤ−とケ−ブルとの吊り下げ固定に用いられたハンガ−方式が、宙乗り作業を必要とするのに対し、前記ケ−ブル吊り下げ用の螺旋状支持具は該作業を不要とし、装着が安全で、しかも脱落や横ずれしない支持具であるが、前記芯線には防錆のために亜鉛メッキ線が用いられるために高価なものとなっていた。
【０００４】
【特許文献１】特開平９−７０１２８号公報
【特許文献２】特開平１１−１７８１８２公報
【発明の開示】
【発明が解決しようとする課題】
【０００５】
本発明は、被覆線の切断部における芯線への防水性が高く、優れた耐久性を有し且つ安価なケーブル吊り下げ用螺旋状支持具を提供することを課題とする。
【課題を解決するための手段】
【０００６】
本発明者等は、合成樹脂材料で被覆された芯線よりなる被覆線を接続端子とソケットとよりなるコネクターのソケットに挿着してなるケーブル吊り下げ用螺旋状支持具において、前記ソケットの中空部を樹脂で充填することにより、芯線への防水性が高く優れた防錆効果が発揮され、被覆線の耐久性が高まることを見出し、本発明に至った。即ち本発明は以下の通りである。
＜１＞  本発明は、合成樹脂材料で被覆された芯線よりなる被覆線を、接続端子とソケットとよりなるコネクターのソケットに挿着してなるケーブル吊り下げ用螺旋状支持具において、前記ソケットの中空部が硬化性樹脂、及び／又は防水パテ剤で充填されていることを特徴とするケーブル吊り下げ用螺旋状支持具であり、前記硬化性樹脂が、常温硬化性樹脂、熱硬化性樹脂、又は湿気硬化性樹脂であり、前記防水パテ剤がブチル系樹脂であることが好ましい。
＜２＞  更に本発明は、前記芯線が硬鋼線材から伸線加工した鉄線であるケーブル吊り下げ用螺旋状支持具であり、前記鉄線がメッキ処理を施していない鉄線が好ましい。
【発明の効果】
【０００７】
本発明のケーブル吊り下げ用螺旋状支持具は、コネクターの被覆線の挿着部分における防水性が高く、そのために被覆線の芯線としてメッキ処理を施していない鉄線をも用いることができ、従来品に比較して安価で、且つ耐食性及び引っ張り強度においては従来品と同等のケーブル吊り下げ用螺旋状支持具を提供することができる。
【発明を実施するための最良の形態】
【０００８】
本発明は、合成樹脂材料で被覆された芯線よりなる被覆線を、接続端子とソケットとよりなるコネクターのソケットに挿着してなるケーブル吊り下げ用螺旋状支持具において、前記ソケットの中空部が硬化性樹脂、及び／又は防水パテ剤で充填されていることを特徴とするケーブル吊り下げ用螺旋状支持具である。以下本発明について、図面に基づいて説明する。
【０００９】
図１は、本発明のケーブル吊り下げ用螺旋状支持具の一実施例を示す模式図である。図１において、１は被覆線を、３はコネクターをそれぞれ示す。図２は本発明のコネクター３の一実施例を示す斜視図である。図２において、１は被覆線を、５はソケットを、７は接続端子をそれぞれ示す。図３は前記接続端子が接続された状態のコネクターの縦断面図である。図３において、７は接続端子を、９はソケットの中空部を、１１はソケットの開口部をそれぞれ示す。
【００１０】
本発明のケーブル吊り下げ用螺旋状支持具は、一定長の被覆線１の両端部がソケットの中空部９に挿入固定されており、本発明は被覆線が挿入された該ソケットの中空部９が、硬化性樹脂、及び／又は防水パテ剤で充填されていることを特徴とする。
【００１１】
前記コネクター３は、ソケット５と接続端子７により構成される。該コネクターの材質は、耐久性、防水性、及び圧縮固定を可能とする程度の弾力性を有するものであれば、いずれの材質をも用いることができるが、中でもアセタールコポリマーが好ましく、特に耐候性ジュラコンが好ましい。
【００１２】
前記ソケット５には、被覆線１を挿入する中空部９が形成される。該中空部９の開口部１１は、被覆線１を挿入するに十分な口径を備える必要があり、該口径は使用する被覆線の外径に対し０．１〜５．０ｍｍ広いことが好ましい。又中空部７の深さは、１０〜３０ｍｍの深さを有することが、被覆線の挿着、固定のために好ましい。
【００１３】
前記ソケットの開口部１１から中空部に被覆線１が挿入されて、被覆線とソケットが固着されるが、ソケットが挿入された中空部の残余の空間は、耐久性と防水性に優れた硬化性樹脂、又は防水パテ剤により充填される。該樹脂又は防水パテ剤により充填されることにより、被覆線の端部が樹脂でカバーされ、被覆線の切断部から芯線への水の侵入を防止する。
【００１４】
前記硬化性樹脂としては、常温硬化性樹脂、熱硬化性樹脂、湿気硬化性樹脂などを用いることができ、中でも常温硬化性樹脂、及び熱硬化性樹脂が取り扱いの容易な点から好ましい。常温硬化性樹脂としてはシリコーン樹脂が中でも好ましく、熱硬化性樹脂としてはシリコーン樹脂、及びエポキシ樹脂が特に好ましい。又、前記防水パテ剤としては、ブチル系樹脂が耐水性、耐候性に優れ好ましい。
【００１５】
前記樹脂のソケット内への充填方法としては、（１）被覆線とソケットを固着した後にソケットの開口部１１の隙間から樹脂を注入し、及び／又はソケットの接続端子側端部から吸引して充填する方法、（２）あらかじめ中空部内に該樹脂を充填しておき、樹脂が充填された中空部に被覆線１を挿入した後に被覆線とソケットを固着する方法、（３）あらかじめ被覆線１の先端に樹脂を塗布し、中空部にその被覆線１を挿入した後に被覆線とソケットを固着する方法、（４）被覆線１に直接ソケットをモールド成型する方法、のいずれの方法をも用いることができる。
【００１６】
前記（１）の被覆線とソケットを固着した後に樹脂を注入、及び／又は吸引して充填する方法の場合は、被覆線とソケットとの固着は、あらかじめ５０℃程度の熱が加えられたソケットに被覆線を挿入し、ソケット外周を圧縮機により上下に圧縮し固定する。本方法の場合の樹脂としては常温硬化性のシリコーン樹脂が好ましく、中でも１液常温硬化型のシリコーン接着剤が特に好ましい。
【００１７】
前記（２）の樹脂が充填された中空部に被覆線１を挿入した後に被覆線とソケットを固着する方法の場合は、あらかじめ樹脂が充填されて５０℃程度の熱が加えられたソケットに被覆線を挿入し、ソケット外周を圧縮機により上下に圧縮し固定する。本方法の場合の樹脂としては、ブチル系樹脂、シリコーン樹脂、及びエポキシ樹脂を好ましく用いることができる。前記ブチル系樹脂としては、中でもブチル系防水パテが好ましい。前記シリコーン樹脂としては、１液常温硬化型のシリコーン接着剤が好ましく、前記エポキシ樹脂としては、２液硬化型エポキシ樹脂が好ましく、中でもエポキシ樹脂充填接着剤が特に好ましい。
【００１８】
前記（３）のあらかじめ被覆線１の先端に該樹脂を塗布し、中空部にその被覆線１を挿入した後に被覆線とソケットを固着する方法は、前記（２）の被覆線とソケットの固着方法と同様の方法及び樹脂を用いることができる。又前記（４）被覆線１に直接ソケットをモールド成型する方法は、ソケットを成形する際に被覆線を挿着した上で、成型樹脂により成形するもので、該成型樹脂は耐候性ジュラコンが好ましい。
【００１９】
前記コネクターの接続端子は、ケーブル吊り下げ用螺旋状支持具の一端と同他端とが容易に、且つ永続的に接続できるものであれば、いかなる形式の接続端子をも用いることができる。図２は凹及び凸接続端子を備えたコネクターを示すが、本発明のコネクターは，該方式に限らず筒状スリーブ固定方式、フック方式その他の方式をも用いることができる。
【００２０】
本発明の被覆線としては、ケーブル吊り下げ用螺旋状支持具として用いられる被覆線であればいかなる被覆線をも用いることができ、被覆の種類も通常使用される被覆剤であればいかなるものも用いることができる。中でも芯線として硬鋼線材から伸線加工した鉄線を用いることが好ましく、特に０．７％以上の炭素を含む硬鋼線が好ましい。
【００２１】
更に本発明のケーブル吊り下げ用螺旋状支持具は、該被覆線の切断端部がソケット内に充填された樹脂によって保護されるために、芯線としてはメッキ処理が施されていない鉄線（いわゆる裸線）を用いることができる。該裸線はメッキ処理鉄線に比較して極めて低価格のために、安価なケーブル吊り下げ用螺旋状支持具を提供することができ好ましい。
【実施例】
【００２２】
以下本発明の具体的内容について、以下の実施例に基づき更に詳細に説明するが、本発明は以下の実施例に限定されるものではない。
本実施例に用いたケーブル吊り下げ用螺旋状支持具を図１に示す。又図２に本発明のコネクターの斜視図を、図３にコネクターの縦断面図を示す。
【００２３】
＜ケーブル吊り下げ用螺旋状支持具の作製＞
本実施例のケーブル吊り下げ用螺旋状支持具の被覆線１は、芯線として炭素含量０．７％、線径３．２ｍｍの硬鋼線で、メッキ処理を施していない鉄線（いわゆる裸線）を用い、さらに該裸線に高密度ポリエチレンにより被覆をして、被覆線として用いた。該被覆線の長さは３００ｍｍのものを用い、端部はシール処理を施さなかった。
【００２４】
本実施例に用いたコネクター３は、ソケット５、接続端子７ともにアセタールコポリマー（ポリプラスチック社製、ジュラコンＭ２５−３５耐候性グレード）を素材として一体成形され、接続端子は凹及び凸接続端子により装着するタイプを用いた。該ソケット中空部は楕円型で、その口径サイズは、長径６．４ｍｍ、短径５．３ｍｍで、深さは１５ｍｍであった。
【００２５】
前記コネクターの中空部内に樹脂（住友電工ファブリック（株）製、ブチル系防水パテ、商品名：Ｈシール）を充填して、５０℃程度に加温した。該加温された中空部に、前記被覆線の一端を挿入し、被覆線とソケットの重なっている部分に、圧縮機（日本オートマチックマシン株式会社製、商品名ＨＹＰ５０５Ｈ）を用いて、上下に圧力４〜５kg/cm2
で圧縮し固定した。前記処理においては、被覆線のコネクター３と接続した端部の他端部はシール処理を施さなかった。
【００２６】
実施例における裸線に変えて亜鉛メッキ線を用い、該ソケットの中空部を、前記樹脂を充填せずに中空状態とした以外は実施例と同様として、比較例のケーブル吊り下げ用螺旋状支持具を作製した。
【００２７】
前記により作製した実施例、及び比較例のケーブル吊り下げ用螺旋状支持具を用い、以下の浸水性試験、剥離強度試験、及び耐塩性試験を実施した。
【００２８】
＜浸水性試験＞
（実施例１）
前記により作製した一端は凹又は凸接続端子付きコネクターが挿着され、又他端はシールされていないケーブル吊り下げ用螺旋状支持具を用い、浸水性試験を行った。浸水試験は、コネクター３と接続せずシール処理を施さなかった被覆線の端部にウレタンホースをつなぎ、被覆線との隙間が出来ないように固定し、ウレタンホースの他端には上水道ホースと隙間が生じないよう固定した。上水道の水圧（０．３ＭＰａ）を被覆線にかけ、圧着固定側から漏れがないか確認した。結果を表１に示す。
【００２９】
（比較例１）
前記比較例のケーブル吊り下げ用螺旋状支持具を用いた以外は実施例と同様として比較例１を行った。結果を表１に示す。
【００３０】
（参考例１）
さらに参考例１として、芯線として裸線および亜鉛メッキ線を用いた被覆線を用い、それぞれの両端を切断したままの被覆線を用いた以外は実施例１と同様にして浸水性試験を行った。結果を表１に示す。
【００３１】
【表１】
2008099437.tif 000003
【００３２】
表１の結果から、ソケットの中空部に前記樹脂を充填した試験実施例１のケーブル吊り下げ用螺旋状支持具は、水の侵入は認められなかった。一方ソケットの中空部が中空状態の比較例１のケーブル吊り下げ用螺旋状支持具は、参考例に比較しても浸水性が劣ることが明らかとなった。これはソケットの固定時に外部から締め付けたことにより、その反力で被覆樹脂部の先端が開き、芯線と被覆樹脂部に隙間が生じたためと考えられる。
【００３３】
＜剥離強度試験＞
（実施例２）
前記実施例１に用いたと同様の、一端が凹又は凸接続端子付きコネクターが挿着され、他端がシールされていないケーブル吊り下げ用螺旋状支持具を用い、ケーブル吊り下げ用螺旋状支持具のコネクター、及び被覆線の被覆材料の剥離強度を測定した。
【００３４】
前記コネクターの剥離強度は、引張試験機（島津製作所製、型式  ＡＧ５０００Ｂ）を用いて測定した。凹凸いずれかのコネクターを含む被覆線について、コネクター部とその反対側の被覆線端部をそれぞれ引張試験機のつかみ歯に固定し、該つかみ歯を夫々反対方向に引張った。コネクターがケーブル吊り下げ用螺旋状支持具から剥離されるときの荷重をロードセルにより測定した。結果を表２に示す。
【００３５】
前記被覆線の被覆剥離強度は、以下のように行った。120ｍｍに切断した被覆線の一端20ｍｍの被覆物を削除して芯線のみとし、該芯線部を芯線より約0.2ｍｍ大きい径の孔を空けたダイスに通した後に該芯線部の端部を引張試験機のつかみ歯で掴んだ。ダイスは芯線部をダイスと垂直に引き抜くことを可能にするために、自在継ぎ手を用いた。当該ダイスを固定出来るようなつかみ歯付きの固定台に固定し、引張試験機のつかみ歯をダイス固定台と反対側に引き抜いた。被覆材料が剥離されるときの力を同様にロードセルにより測定した。結果を表２に示す。
【００３６】
（比較例２）
前記比較例１に用いたと同様のケーブル吊り下げ用螺旋状支持具のコネクター、及び被覆線に変えた以外は実施例２と同様にして比較例２の試験を行った。結果を表２に示す。
【００３７】
【表２】
2008099437.tif 000004
【００３８】
表２の結果から、本発明のケーブル吊り下げ用螺旋状支持具のコネクター、及び被覆線の被覆剥離強度が、比較例に用いたケーブル吊り下げ用螺旋状支持具のコネクター、及び被覆線の被覆剥離強度よりもいずれも高くなっているが、絶対値のレベルからは両者はほぼ同等と思われる。
【００３９】
＜耐食性試験＞
（実施例３）
前記実施例１に用いたと同様のケーブル吊り下げ用螺旋状支持具について、耐食性試験を行った。耐食性試験はJIS Z 2371に基づき、実施した。JIS K8150に規定する塩化ナトリウムを蒸留水に溶解し、塩濃度が50ｇ±5ｇ／Lとなるように調整した。この塩水を水平採取面積80cm2に対し、１時間辺り1.5±0.5mLをケーブル吊り下げ用螺旋状支持具のコネクター部分を上向きに静置したケーブル吊り下げ用螺旋状支持具に噴霧処理して、発錆状況について調査した。
【００４０】
〈比較例３〉
前記比較例１に用いたと同様のケーブル吊り下げ用螺旋状支持具を用いた以外は実施例３と同様にして、比較例３の耐食性試験を行った。
【００４１】
５０日間の塩水噴霧試験では、実施例３及び比較例３共に異常は見られず、本発明のケーブル吊り下げ用螺旋状支持具は、比較例に用いたケーブル吊り下げ用螺旋状支持具と同等の耐食性を有すると考えられた。
【産業上の利用可能性】
【００４２】
本発明のケーブル吊り下げ用螺旋状支持具は、コストが低廉であるが、引っ張り強度、耐食性は従来品と比較して同等であり、従来品に代替できる。
【図面の簡単な説明】
【００４３】
【図１】本発明のケーブル吊り下げ用螺旋状支持具の一実施例を示す側面図である。
【図２】本発明のコネクターの一実施例を示す斜視図である。
【図３】本発明のコネクターの一実施例を示す縦断面図である。
【符号の説明】
【００４４】
１    被覆線
３    コネクター
５    ソケット
７    接続端子
９    ソケットの中空部
１１    ソケットの開口部
【図１】
2008099437.tif 000005
【図２】
2008099437.tif 000006
【図３】
2008099437.tif 000007